(57)【要約】【課題】電子書籍のページめくり操作を簡単に行えるようにする。【解決手段】電子書籍装置１００が左に傾いた状態で電子書籍装置１００の右視画面に１ページ目を表示し、左視画面に２ページ目を表示する。右視画面に表示された１ページ目を読み、電子書籍装置１００を右に傾けて左視画面に表示された２ページ目を読み終わると、ユーザは電子書籍装置１００を左に傾ける。このとき、電子書籍装置１００に設けられた傾きセンサによって右に傾いた状態から左に傾いた状態に姿勢が変化したことが検出され、右視画面に３ページ目が表示され、左視画面に４ページ目が表示される。以下同様にして、電子書籍装置１００が右に傾いた状態から左に傾いた状態に姿勢が変化する度にページ送りが行われる。【選択図】図２
2008116791.tif 000002
【特許請求の範囲】
【請求項１】
書籍データを表示する電子書籍装置であって、
前記書籍データに対応する表示データを表示する表示手段と、
前記電子書籍装置の筐体内に設けられ、前記筐体の傾きを検出する傾き検出手段と、
前記傾き検出手段による検出結果に応じて、前記表示手段によって表示される前記表示データを切り替える切替手段と
を備えることを特徴とする電子書籍装置。
【請求項２】
前記傾き検出手段により、前記筐体が第１の傾き方向に傾いた状態から第２の傾き方向に傾いたとき、または前記第２の傾き方向に傾いた状態から前記第１の傾き方向に傾いたとき、前記切替手段は、前記表示手段によって表示される前記表示データを他の表示データに切り替える
ことを特徴とする請求項１に記載の電子書籍装置。
【請求項３】
前記表示手段は、第１の表示方向に第１の画面を表示し、第２の表示方向に第２の画面を表示可能な表示装置により構成される
ことを特徴とする請求項１に記載の電子書籍装置。
【請求項４】
前記第１の画面に第１の表示データが表示され、前記第２の画面に第２の表示データが表示され、
前記傾き検出手段により、前記筐体が第１の傾き方向に傾いた状態から第２の傾き方向に傾いた後に該第１の傾き方向に戻ったことが検出されたとき、前記切替手段は、前記第１の画面に表示されている前記第１の表示データおよび前記第２の画面に表示されている前記第２の表示データをそれぞれ他の表示データに切り替える
ことを特徴とする請求項３に記載の電子書籍装置。
【請求項５】
書籍データを表示する電子書籍装置における電子書籍装置のページめくり方法であって、
前記書籍データに対応する表示データを所定の表示手段に表示する表示ステップと、
前記電子書籍装置の筐体内に設けられた傾き検出手段が前記筐体の傾きを検出する傾き検出ステップと、
前記傾き検出ステップにおける検出結果に応じて、前記表示手段によって表示される前記表示データを切り替える切替ステップと
を備えることを特徴とする電子書籍装置のページめくり方法。
【請求項６】
前記表示手段は、第１の表示方向に第１の画面を表示し、第２の表示方向に第２の画面を表示可能な表示装置により構成され、
前記第１の画面に第１の表示データが表示され、前記第２の画面に第２の表示データが表示され、
前記傾き検出ステップにおいて、前記筐体が第１の傾き方向に傾いた状態から第２の傾き方向に傾いた後に、該第１の傾き方向に戻ったことが検出されたとき、前記切替ステップにおいて、前記第１の画面に表示されている前記第１の表示データおよび前記第２の画面に表示されている前記第２の表示データがそれぞれ他の表示データに切り替えられる
ことを特徴とする請求項５に記載の電子書籍装置のページめくり方法。
【請求項７】
書籍データを表示する電子書籍装置における電子書籍装置のページめくり制御プログラムであって、
前記書籍データに対応する表示データを所定の表示手段に表示する表示ステップと、
前記電子書籍装置の筐体内に設けられた傾き検出手段によって検出された前記筐体の傾きに応じて、前記表示手段によって表示される前記表示データを切り替える切替ステップとを前記電子書籍装置に実行させる
ことを特徴とする電子書籍装置のページめくり制御プログラム。
【請求項８】
前記表示手段は、第１の表示方向に第１の画面を表示し、第２の表示方向に第２の画面を表示可能な表示装置により構成され、前記第１の画面に第１の表示データが表示され、前記第２の画面に第２の表示データが表示されている状態で、
前記傾き検出手段によって前記筐体が第１の傾き方向に傾いた状態から第２の傾き方向に傾いたことが検出されたとき、前記切替ステップにおいては、前記第１の画面に表示されている前記第１の表示データおよび前記第２の画面に表示されている前記第２の表示データがそれぞれ他の表示データに切り替えられる
ことを特徴とする請求項７に記載の電子書籍装置のページめくり制御プログラム。
【発明の詳細な説明】
【技術分野】
【０００１】
本発明は電子書籍装置のページめくり方法に関し、特に、電子書籍装置の画面に表示された電子書籍データのページをめくる電子書籍装置のページめくり方法に関するものである。
【背景技術】
【０００２】
従来、電子書籍データを画面に表示する電子書籍装置においては、ページめくりをするために所定のボタンを操作しなければならず、操作が煩雑であった。そこで、ページめくりをするために振るような動作をすると、角速度センサが角度移動速度に基づいて振るような動作が行われたことを検出し、次ページを表示するようにすることが考えられる。
また、ページめくりを自動化したものがある。例えば、特許文献１には、各表示ページの内容に基づき、表示時間を設定し、記憶し、表示中のページの内容に応じて表示時間を自動的に調整するようにして、読者の読み取り速度に応じた自動ページめくり機能を提供する技術が開示されている。
また、特許文献２には、従来の書籍型電子情報閲覧装置では、マウスやタブレットなどの従来の入力デバイスを用いているため、本のページをめくる日常的なページめくり動作に酷似した操作感覚に乏しいという問題を解決するために、指先で薄板の先端を弾くか、２本の指（通常親指と人差し指）で摘んでページをめくる動作をすると、薄板がたわみ、たわみ量が加速度センサで検出され、ページめくり動作の方向（前進／後退）およびその強さが抽出され、ページめくりが行われるようにして、通常の本を閲覧する場合と同じ操作感覚で書籍形式の電子情報を操作することができるという技術が開示されている。
【特許文献１】特開平０６−２３１１８７号公報
【特許文献２】特開平１１−３１２０４１号公報
【発明の開示】
【発明が解決しようとする課題】
【０００３】
しかしながら、上記特許文献１の発明では、自動的にページめくりがされるため、未だ読み終わっていないのにページめくりされてしまったり、既に読み終わっているのになかなかページめくりがされないということが起こり得るという問題があった。
また、特許文献２の発明では、通常の本を閲覧する場合と同様の操作感覚でページめくりをすることができるが、薄板等の入力デバイスを設けなければならないため、携帯型の電子書籍装置には適していないという問題があった。
【０００４】
本発明はこのような状況に鑑みてなされたものであり、上記問題点を解決できる電子書籍装置のページめくり方法を提供することを目的とする。
【課題を解決するための手段】
【０００５】
請求項１に記載の電子書籍装置は、書籍データを表示する電子書籍装置であって、書籍データに対応する表示データを表示する表示手段と、電子書籍装置の筐体内に設けられ、筐体の傾きを検出する傾き検出手段と、傾き検出手段による検出結果に応じて、表示手段によって表示される表示データを切り替える切替手段とを備えることを特徴とする。
また、傾き検出手段により、筐体が第１の傾き方向に傾いた状態から第２の傾き方向に傾いたとき、または第２の傾き方向に傾いた状態から第１の傾き方向に傾いたとき、切替手段は、表示手段によって表示される表示データを他の表示データに切り替えるようにすることができる。
また、表示手段は、第１の表示方向に第１の画面を表示し、第２の表示方向に第２の画面を表示可能な表示装置により構成されるようにすることができる。
また、第１の画面に第１の表示データが表示され、第２の画面に第２の表示データが表示され、傾き検出手段により、筐体が第１の傾き方向に傾いた状態から第２の傾き方向に傾いた後に該第１の傾き方向に戻ったことが検出されたとき、切替手段は、第１の画面に表示されている第１の表示データおよび第２の画面に表示されている第２の表示データをそれぞれ他の表示データに切り替えるようにすることができる。
請求項５に記載の電子書籍装置のページめくり方法は、書籍データを表示する電子書籍装置における電子書籍装置のページめくり方法であって、書籍データに対応する表示データを所定の表示手段に表示する表示ステップと、電子書籍装置の筐体内に設けられた傾き検出手段が筐体の傾きを検出する傾き検出ステップと、傾き検出ステップにおける検出結果に応じて、表示手段によって表示される表示データを切り替える切替ステップとを備えることを特徴とする。
また、表示手段は、第１の表示方向に第１の画面を表示し、第２の表示方向に第２の画面を表示可能な表示装置により構成され、第１の画面に第１の表示データが表示され、第２の画面に第２の表示データが表示され、傾き検出ステップにおいて、筐体が第１の傾き方向に傾いた状態から第２の傾き方向に傾いた後に、該第１の傾き方向に戻ったことが検出されたとき、切替ステップにおいて、第１の画面に表示されている第１の表示データおよび第２の画面に表示されている第２の表示データがそれぞれ他の表示データに切り替えられるようにすることができる。
請求項７に記載の電子書籍装置のページめくり制御プログラムは、書籍データを表示する電子書籍装置における電子書籍装置のページめくり制御プログラムであって、書籍データに対応する表示データを所定の表示手段に表示する表示ステップと、電子書籍装置の筐体内に設けられた傾き検出手段によって検出された筐体の傾きに応じて、表示手段によって表示される表示データを切り替える切替ステップとを電子書籍装置に実行させるようにすることができる。
また、表示手段は、第１の表示方向に第１の画面を表示し、第２の表示方向に第２の画面を表示可能な表示装置により構成され、第１の画面に第１の表示データが表示され、第２の画面に第２の表示データが表示されている状態で、傾き検出手段によって筐体が第１の傾き方向に傾いた状態から第２の傾き方向に傾いたことが検出されたとき、切替ステップにおいては、第１の画面に表示されている第１の表示データおよび第２の画面に表示されている第２の表示データがそれぞれ他の表示データに切り替えられるようにすることができる。
【発明の効果】
【０００６】
本発明の電子書籍装置のページめくり方法によれば、電子書籍装置本体を左右に傾けるだけで、ページめくりをすることができ、満員電車等で書籍データを読む場合でも、片手で簡単にページをめくることができる。
【発明を実施するための最良の形態】
【０００７】
図１は、本発明の一実施の形態としての電子書籍装置１００の構成例を示すブロック図である。本実施の形態は、制御プログラムや各種設定値等を記憶するＲＯＭ（Read Only Memory）２と、ＲＯＭ２に記憶されている制御プログラムに従って動作し、後述する各部の動作を制御するＣＰＵ（Central Processing Unit）１と、ＣＰＵ１が動作する上で必要となる各種データを一時的に記憶するＲＡＭ（Random Access Memory）３と、電子書籍装置１００の筐体に固定され、筐体の傾きを検出し、傾き検出データをＣＰＵ１に供給する傾きセンサ４と、ＣＰＵ１の制御下、後述する液晶パネル等からなる表示部９に表示すべき表示データを一時的に記憶する画面用メモリ５と、ＣＰＵ１の制御下、画面用メモリ５に記憶された表示データに対応する表示制御信号を生成し、生成した表示制御信号を表示部９に供給する表示制御部６と、表示制御部６より供給された表示制御信号に従って表示データに対応する画像等を画面に表示する表示部９と、パーソナルコンピュータ等の外部装置との間の通信を制御し、外部装置から送信されてきた電子書籍データ等のデータをＣＰＵ１に供給する通信制御部７と、電源をオン／オフするとき操作される電源ボタン１０１、音量を調節するときに操作される音量ボタン１０２、画面の輝度を調整するときに操作される輝度調節ボタン１０３、メニュー画面を表示させるときに操作されるメニューボタン１０４等の各種操作ボタン等からなり、操作された操作ボタンに対応する操作データをＣＰＵ１に供給する操作部８と、書籍データや電源がオフされても保存しておきたい各種データを記憶する不揮発性メモリまたは着脱可能なメモリカード等からなる記憶装置１０等より構成されている。
【０００８】
表示部９は、いわゆるデュアルビュー液晶により構成されている。デュアルビュー液晶は、画面の左右の２方向に対して異なる画像を同時に表示することができる液晶ディスプレイである。即ち、デュアルビュー液晶の画面を、その画面に対して左斜め方向から見たときと、右斜め方向から見たときとではそれぞれ異なる画像を見ることができるようになっている。
【０００９】
図２は、デュアルビュー液晶の原理を示す図である。同図に示すように、デュアルビュー液晶は、バックライト９１と、バックライト９１の前面に配置された複数の画素ａ，ｂを有する液晶表示パネル９２と、液晶表示パネル９２の前面に配置されたパララックスバリヤ９５とから構成されている。パララックスバリヤ９５は、一定間隔で形成された複数の不透明領域９４によって隔たらせた複数の透光性スリット９３を有するスクリーンであり、液晶表示パネル９２の画素ａを透過したバックライト９１からの光が複数の透光性スリット９３を介して視聴者Ａ側に到達し、画素ｂを透過したバックライト９１からの光が複数の透光性スリット９３を介して視聴者Ｂ側に到達する。即ち、液晶表示パネル９２に表示されているそれぞれ異なる映像の２つのビュー（デュアルビュー）は、パララックスバリヤ９５の複数の透光性スリット９３により、空間上の規定された領域からしか見えないようになっている。
【００１０】
傾きを検出する傾きセンサ４は、電子書籍装置１００の筐体内に固定され、電子書籍装置１００が左右に傾くと、傾きセンサ４も同時に左右に傾くようになっている。従って、傾きセンサ４の検出データに基づいて、電子書籍装置１００が左右いずれの方向に傾いているかを認識することができる。
【００１１】
図３は、電子書籍装置１００の外観図である。上述したように、電子書籍装置１００の表示部９は、デュアルビュー液晶からなり、左方向から見た画面（左視画面）には、左視画面用の表示データが表示され、右方向から見た画面（右視画面）には、右視画面用の表示データが表示される。
【００１２】
例えば、ページを右から左にめくる縦書きの書籍の書籍データの場合、最初、右視画面には書籍データの１ページ目が表示され、左視画面には２ページ目が表示される。そして、後述するように、電子書籍装置を左に傾ける度に、各画面に表示される書籍データが更新される。また、ページを左から右にめくる横書きの書籍の書籍データの場合、最初、左視画面には書籍データの１ページ目が表示され、右視画面には２ページ目が表示される。そして、電子書籍装置を右に傾ける度に、各画面に表示される書籍データが更新される。
【００１３】
次に、図４のフローチャートを参照して、本実施の形態をユーザが所定の手順で使用したときのＣＰＵ１の処理手順について説明する。まず、ステップＳ１において、ユーザ（読者）が、電子書籍装置１００本体を左に傾けると、傾きセンサ４によって電子書籍装置１００本体が左に傾いたことが検出され、左に傾いたことを示す検出データがＣＰＵ１に供給される。
【００１４】
ＣＰＵ１は、傾きセンサ４から供給される検出データに基づいて、電子書籍装置１００本体が左に傾いていることを認識すると、ステップＳ１１において、ユーザが右視画面を見ていると判断し、書籍データの１ページ目と２ページ目に対応する表示データをそれぞれ画面用メモリ５に供給し、記憶させるとともに、表示制御部６に対して、右視画面に１ページ目を表示し、左視画面に２ページ目を表示するよう指令する。
【００１５】
ＣＰＵ１からの指令を受けた表示制御部６は、画面用メモリ５から書籍データの１ページ目に対応する表示データと、２ページ目に対応する表示データとを読み出し、１ページ目の表示データに対応する画像が右視画面に表示されるように制御する制御信号を表示部９に供給するとともに、２ページ目の表示データに対応する画像が左視画面に表示されるように制御する制御信号を表示部９に供給する。
【００１６】
表示部９は、表示制御部６より供給される制御信号に従って動作し、右視画面に１ページ目の表示データに対応する画像を表示し、左視画面に２ページ目の表示データに対応する画像を表示する。
【００１７】
次に、ステップＳ２において、ユーザ（読者）が、電子書籍装置１００本体を右に傾ける動作を行うと、傾きセンサ４によって電子書籍装置１００本体が右に傾く姿勢の変化が継続していることが検出され、右に傾く姿勢の変化が継続していることを示す検出データがＣＰＵ１に供給される。
【００１８】
ＣＰＵ１は、傾きセンサ４から供給される検出データに基づいて、電子書籍装置１００本体が右に傾く姿勢の変化が継続していることを認識すると、ステップＳ１２において、ユーザが左視画面を見るために「読書を進めた」と判断し、表示制御部６に対して、そのまま、右視画面に１ページ目を表示し、左視画面に２ページ目を表示し続けるよう指令する。
【００１９】
ＣＰＵ１からの指令を受けた表示制御部６は、引き続き、１ページ目の表示データに対応する画像が右視画面に表示されるように制御する制御信号を表示部９に供給するとともに、２ページ目の表示データに対応する画像が左視画面に表示されるように制御する制御信号を表示部９に供給する。
【００２０】
表示部９は、表示制御部６より供給される制御信号に従って動作し、右視画面に１ページ目の表示データに対応する画像を表示し、左視画面に２ページ目の表示データに対応する画像を表示する。
【００２１】
次に、ステップＳ３において、ユーザ（読者）が、電子書籍装置１００本体を右に傾ける動作を終了させ、電子書籍装置１００本体が右に傾いた姿勢で保持すると、傾きセンサ４によって電子書籍装置１００本体が右に傾いていることが検出され、右に傾いていることを示す検出データがＣＰＵ１に供給される。
【００２２】
ＣＰＵ１は、傾きセンサ４から供給される検出データに基づいて、電子書籍装置１００本体が右に傾いていることを認識すると、ステップＳ１３において、ユーザが左視画面を見ていると判断し、引き続き、表示制御部６に対して、右視画面に１ページ目を表示し、左視画面に２ページ目を表示するよう指令する。
【００２３】
ＣＰＵ１からの指令を受けた表示制御部６は、引き続き、１ページ目の表示データに対応する画像が右視画面に表示されるように制御する制御信号を表示部９に供給するとともに、２ページ目の表示データに対応する画像が左視画面に表示されるように制御する制御信号を表示部９に供給する。
【００２４】
表示部９は、表示制御部６より供給される制御信号に従って動作し、右視画面に１ページ目の表示データに対応する画像を表示し、左視画面に２ページ目の表示データに対応する画像を表示する。
【００２５】
次に、ステップＳ４において、ユーザ（読者）が、電子書籍装置１００本体を左に傾ける動作を行うと、傾きセンサ４によって電子書籍装置１００本体が左に傾く姿勢の変化が継続していることが検出され、左に傾く姿勢の変化が継続していることを示す検出データがＣＰＵ１に供給される。
【００２６】
ＣＰＵ１は、傾きセンサ４から供給される検出データに基づいて、電子書籍装置１００本体が左に傾く姿勢の変化が継続していることを認識すると、ステップＳ１４において、ユーザが右視画面を見るために電子書籍装置１００を左に傾ける動作を行っていると判断し、次に読むべき３ページ（＝１ページ＋２ページ）目）と４ページ（２ページ＋２ページ）目に対応する表示データをそれぞれ画面用メモリ５に供給し、記憶させるとともに、表示制御部６に対して、右視画面に３ページ目を表示し、左視画面に４ページ目を表示するよう指令する。
【００２７】
ＣＰＵ１からの指令を受けた表示制御部６は、画面用メモリ５から書籍データの３ページ目に対応する表示データと、４ページ目に対応する表示データとを読み出し、３ページ目の表示データに対応する画像が右視画面に表示されるように制御する制御信号を表示部９に供給するとともに、４ページ目の表示データに対応する画像が左視画面に表示されるように制御する制御信号を表示部９に供給する。
【００２８】
表示部９は、表示制御部６より供給される制御信号に従って動作し、右視画面に３ページ目の表示データに対応する画像を表示し、左視画面に４ページ目の表示データに対応する画像を表示する。
【００２９】
以下同様にして、ユーザが電子書籍装置１００本体を左に傾ける動作を行う度に、右視画面に表示される書籍データのページが２ページずつ進められるとともに、左視画面に表示される書籍データのページが２ページずつ更新される。
【００３０】
次に、図５のフローチャートを参照して、電子書籍装置１００本体の処理手順について説明する。
【００３１】
まず、ステップＳ２１において、電子書籍装置１００のＣＰＵ１は、ユーザにより操作部８の電源ボタンが操作され、電源がオンされたか否かが判定される。その結果、電源がオンされていないと判定された場合、ステップＳ２１の処理が繰り返し実行される。
【００３２】
一方、電源がオンされたと判定された場合、ステップＳ２２に進む。ステップＳ２２においては、記憶装置１０に記憶されている、前に読んでいたページ番号を読み出し、変数Ｎに代入する。この、前に読んでいたページ番号は、初期値は１であり、電子書籍データの最初のページから読み始める場合には、変数Ｎには１が代入される。途中で終了させるときには、後述するように、変数Ｎの値が記憶装置１０に保存される。
【００３３】
次に、ステップＳ２３において、ＣＰＵ１は、電子書籍データのＮページ目を記憶装置１０から読み出し、対応する表示データを生成した後、画面用メモリ５に格納する。表示制御部６は、ＣＰＵ１の制御下、画面用メモリ５からＮページ目の表示データを読み出し、対応する制御信号を生成し、表示部９に供給する。表示部９は、表示制御部６から供給された制御信号に従って、右視画面に電子書籍データのＮページ目を表示する。
【００３４】
次に、ステップＳ２４において、ＣＰＵ１は、電子書籍データの（Ｎ＋１）ページ目を記憶装置１０から読み出し、対応する表示データを生成した後、画面用メモリ５に格納する。表示制御部６は、ＣＰＵ１の制御下、画面用メモリ５から（Ｎ＋１）ページ目の表示データを読み出し、対応する制御信号を生成し、表示部９に供給する。表示部９は、表示制御部６から供給された制御信号に従って、左視画面に電子書籍データの（Ｎ＋１）ページ目を表示する。
【００３５】
次に、ステップＳ２５において、電子書籍装置１００本体が右に傾いた状態から左に傾いた状態に変化したか否かが判定される。その結果、電子書籍装置１００本体が右に傾いた状態から左に傾いた状態に変化したと判定された場合、ステップＳ２６に進む。一方、ステップＳ２５において、電子書籍装置１００本体が右に傾いた状態から左に傾いた状態に変化していないと判定された場合、ステップＳ２８に進む。
【００３６】
ステップＳ２６においては、（Ｎ＋２）の値が最大ページ番号より大きいか否かが判定される。その結果、（Ｎ＋２）の値が最大ページ番号より大きいと判定された場合、ステップＳ２３に戻り、ステップＳ２３以降の処理が繰り返し実行される。ここで、変数Ｎの値が、電子書籍データの最大ページ番号と等しい場合、（Ｎ＋１）が最大ページ番号を超えてしまうので、その場合、（Ｎ＋１）ページ目は表示されない。
【００３７】
一方、（Ｎ＋２）の値が最大ページ番号より大きくはない（最大ページ番号以下である）と判定された場合、ステップＳ２７に進む。ステップＳ２７においては、変数Ｎの値が２だけ増加させられて、２ページ分だけ進められる。その後、ステップＳ２８に進む。
【００３８】
ステップＳ２８においては、ユーザにより、電源ボタンが操作されて電源オフ操作がなされるなどして処理の終了が指示されたか否かが判定される。その結果、処理の終了が指示されていないと判定された場合、ステップＳ２３に戻り、ステップＳ２３以降の処理が繰り返し実行される。一方、処理の終了が指示されたと判定された場合、ステップＳ２９に進む。
【００３９】
ステップＳ２９においては、変数Ｎの値が記憶装置１０に保存される。その後、ステップＳ３０に進み、電源がオフされた後、本処理を終了する。
【００４０】
以上説明したように、ボタン操作を行うことなく、電子書籍装置１００を左右に傾ける動作を行うだけで、書籍データのページを更新することができる。また、電子書籍装置１００が傾いているか否かは傾きセンサ４により検出されるので、加速度の変化が検出できるように電子書籍装置１００を振るような動作を行わなくてもよい。これにより、電子書籍装置１００が手から滑り落ちたり、他人にぶつかってしまったりすることがないようにすることができる。
【００４１】
なお、上記実施の形態においては、書籍の右開き（縦の文字組み、コミック等ではコマが上から下へ縦組みされている場合）に対応して、右視画面から左視画面に読み進める場合について説明したが、書籍の左開き（横の文字組み、コミック等ではコマが左から右へ横組みされている場合）に対応して、左視画面から右視画面に読み進める場合にも本発明を適用することができる。その場合、電子書籍装置１００が左傾いた状態から右に傾いた状態に姿勢が変化したとき、各画面に表示されている書籍データのページが更新されるようにすればよい。
【００４２】
また、右開きおよび左開きの切り替えは、図示しない左右逆転スイッチを設け、左右逆転スイッチの手動操作によって切り替えられるようにすることができる。或いは、書籍データに右開きであるか左開きであるかを示す情報を含めるようにし、その情報に基づいて自動で切り替えるようにすることができる。或いは、書籍データの内容から右開きであるか左開きであるかを判断して、自動で切り替えるようにすることもできる。例えば、縦の文字組み、コミック等ではコマが上から下へ縦組みされている場合には、右開きと判断し、横の文字組み、コミック等ではコマが左から右へ横組みされている場合には左開きと判断し、自動で切り替えを行う。
【００４３】
また、上記実施の形態の構成および動作は例であって、本発明の趣旨を逸脱しない範囲で適宜変更することができることは言うまでもない。
【産業上の利用可能性】
【００４４】
本発明の活用例として、例えば、電子書籍装置だけでなく、携帯電話機を用いて電子書籍やコミック等を表示させる場合にも本発明を適用することができる。
【図面の簡単な説明】
【００４５】
【図１】本発明の一実施の形態の構成例を示すブロック図である。
【図２】デュアルビュー液晶の原理を示す図である。
【図３】本発明の一実施の形態の外観図である。
【図４】本発明の一実施の形態の使用方法および処理手順を説明するためのフローチャートである。
【図５】本発明の一実施の形態の処理手順を説明するためのフローチャートである。
【符号の説明】
【００４６】
１  ＣＰＵ
２  ＲＯＭ
３  ＲＡＭ
４  傾きセンサ
５  画面用メモリ
６  表示制御部
７  通信制御部
８  操作部
９  表示部
１０  記憶装置
９１  バックライト
９２  液晶表示パネル
９３  透光性スリット
９４  不透明領域
９５  パララックスバリヤ
１００  電子書籍装置
１０１  電源ボタン
１０２  音量ボタン
１０３  輝度調節ボタン
１０４  メニューボタン
【図１】
2008116791.tif 000003
【図２】
2008116791.tif 000004
【図３】
2008116791.tif 000005
【図４】
2008116791.tif 000006
【図５】
2008116791.tif 000007